(57)【特許請求の範囲】
【請求項１】
複数の上りリンクのインターフェースに対応する複数のＩＰアドレスにより、ユニバーサル・リソース・ロケータ（ＵＲＬ）リストを生成するステップであって、前記ＵＲＬリストは、少なくとも２つのＵＲＬを含み、各ＵＲＬは対応する上りリンクのインターフェースを有する、ステップ；
前記ＵＲＬリストを自動設定サーバに送信するステップ；
前記自動設定サーバが送信した接続要求を、第１の上りリンクのインターフェースを通して受信するステップであって、前記接続要求は、第１のＵＲＬを含み、該第１のＵＲＬは、前記ＵＲＬリストの中のＵＲＬであり、かつ該第１のＵＲＬが前記第１の上りリンクのインターフェースに対応する、ステップ；及び
前記自動設定サーバが送信した前記接続要求を受信したことに応答して、第２の上りリンクのインターフェースを決定するステップであって、前記第２の上りリンクのインターフェースは、管理セッションを開始するため使用される上りリンクのインターフェースである、ステップ；及び
前記自動設定サーバに対して管理セッションを開始するために、前記第２の上りリンクのインターフェースを使用するステップ、
を備え、
前記第２の上りリンクのインターフェースを決定するステップは、前記管理セッションを開始するために使用される前記上りリンクのインターフェースが前記接続要求の中で指定され、且つ最短遅延及び最小パケット損失率を有している少なくとも２つの接続可能な上りリンクのインターフェースが存在し、これらのうちの一つが前記接続要求の中で指定された前記上りリンクのインターフェースである場合に、前記指定された上りリンクのインターフェースを前記第２の上りリンクのインターフェースとして決定することを含む、
管理セッション設定方法。
【請求項２】
前記ＵＲＬリストの中の各ＵＲＬに対応する前記上りリンクのインターフェースの情報を前記自動設定サーバに送信するステップをさらに含む、請求項１に記載の方法。
【請求項３】
前記ＵＲＬリストを自動設定サーバに送信するステップは、
前記ＵＲＬリストの中の前記少なくとも２つのＵＲＬを前記自動設定サーバに送信するステップである、
請求項１又は２に記載の方法。
【請求項４】
前記上りリンクのインターフェースの状態が変化した場合に、前記ＵＲＬリストを更新するステップと、
前記更新されたＵＲＬリストを前記自動設定サーバに送信するステップと
をさらに含む、
請求項１から３のいずれか一項に記載の方法。
【請求項５】
前記ＵＲＬリストを自動設定サーバに送信するステップは、、
前記自動設定サーバが前記接続要求を送信するために前記ＵＲＬリストから前記第１のＵＲＬを選択するように、前記ＵＲＬリストを前記自動設定サーバに送信するステップを含む、
請求項４に記載の方法。
【請求項６】
加入者構内設備が送信したユニバーサル・リソース・ロケータ（ＵＲＬ）リストを受信するステップ；
接続要求を前記加入者構内設備に送信するために、前記ＵＲＬリストから第１のＵＲＬを選択するステップであって、前記接続要求は、前記第１のＵＲＬを含み、かつ前記第１のＵＲＬは、前記加入者構内設備の第１の上りリンクのインターフェースに対応する、ステップ；及び
前記接続要求を受信したことに応答して、第２の上りリンクのインターフェースを使用することにより前記加入者構内設備によって開始される管理セッションを設定するステップ、
を備え、
前記管理セッションを開始するために使用される上りリンクのインターフェースが前記接続要求の中で指定され、且つ最短遅延及び最小パケット損失率を有している少なくとも２つの接続可能な上りリンクのインターフェースが存在し、これらのうちの一つが前記接続要求の中で指定された前記上りリンクのインターフェースである場合、前記加入者構内設備は、前記指定された上りリンクのインターフェースを前記第２の上りリンクのインターフェースとして選択する、
管理セッション設定方法。
【請求項７】
前記接続要求を前記加入者構内設備に送信するために、前記ＵＲＬリストから第１のＵＲＬを選択するステップは、
前記ＵＲＬリストの中の各ＵＲＬに対応する上りリンクのインターフェースの情報、および／または各上りリンクのインターフェースの試験状況により、前記接続要求を前記加入者構内設備に送信するために前記ＵＲＬリストから前記第１のＵＲＬを選択するステップを含む、
請求項６に記載の管理セッション設定方法。
【請求項８】
前記加入者構内設備が管理セッションを開始するために使用する前記第２の上りリンクのインターフェースが前記接続要求の中で指定される、
請求項６又は７に記載の管理セッション設定方法。
【請求項９】
複数の上りリンクのインターフェースに対応する複数のＩＰアドレスにより、ユニバーサル・リソース・ロケータ（ＵＲＬ）リストを生成する生成モジュールであって、前記ＵＲＬリストは、少なくとも２つのＵＲＬを含み、各ＵＲＬは、対応する上りリンクのインターフェースを有する、生成モジュールと、
前記ＵＲＬリストを自動設定サーバに送信するように構成されるＵＲＬリスト報告モジュールと、
第１の上りリンクのインターフェースを通して、前記自動設定サーバによって送信される接続要求を受信するように構成される接続要求受信モジュールであって、前記接続要求は、第１のＵＲＬを含み、前記第１のＵＲＬは、前記ＵＲＬリストの中のＵＲＬであり、かつ前記第１のＵＲＬは、前記第１の上りリンクのインターフェースに対応する、接続要求受信モジュール、及び
前記自動設定サーバが送信した前記接続要求を受信したことに応じて、前記自動設定サーバに対して管理セッションを開始するために、第２の上りリンクのインターフェースを使用するセッション開始モジュールと
を備え、
前記管理セッションを開始するために使用される上りリンクのインターフェースが前記接続要求の中で指定され、且つ最短遅延及び最小パケット損失率を有している少なくとも２つの接続可能な上りリンクのインターフェースが存在し、これらのうちの一つが前記接続要求の中で指定された前記上りリンクのインターフェースである場合、前記接続要求受信モジュールは、前記指定された上りリンクのインターフェースを前記第２の上りリンクのインターフェースとして選択する、
加入者構内設備。
【請求項１０】
前記ＵＲＬリスト報告モジュールは、さらに、前記ＵＲＬリストの中の各ＵＲＬに対応する前記上りリンクのインターフェースの情報を前記自動設定サーバに送信するように構成される、
請求項９に記載の加入者構内設備。
【請求項１１】
前記ＵＲＬリスト報告モジュールは、前記ＵＲＬリストの中の前記少なくとも２つのＵＲＬを前記自動設定サーバに送信するように構成される、
請求項９に記載の加入者構内設備。
【請求項１２】
前記上りリンクのインターフェースの状態が変化した場合に、前記ＵＲＬリストを更新するように構成される更新モジュールをさらに備え、
前記ＵＲＬリスト報告モジュールは、さらに、前記更新されたＵＲＬリストを前記自動設定サーバに送信するように構成される、
請求項９に記載の加入者構内設備。
【請求項１３】
加入者構内設備によって送信されるユニバーサル・リソース・ロケータ（ＵＲＬ）リストを受信するように構成されるユニバーサル・リソース・ロケータ（ＵＲＬ）リスト受信モジュール；
前記加入者構内設備に接続要求を送信するために、前記ＵＲＬリストから第１のＵＲＬを選択するように構成される接続要求開始モジュールであって、前記接続要求は、前記第１のＵＲＬを含み、かつ前記第１のＵＲＬは前記加入者構内設備の第１の上りリンクのインターフェースに対応する、接続要求開始モジュール；及び
前記接続要求を受信したことに応じて、第２の上りリンクのインターフェースを使用することにより前記加入者構内設備によって開始される管理セッションを設定するように構成されるセッション設定モジュール
を備え、
前記管理セッションを開始するために使用される上りリンクのインターフェースが前記接続要求の中で指定され、且つ最短遅延及び最小パケット損失率を有している少なくとも２つの接続可能な上りリンクのインターフェースが存在し、これらのうちの一つが前記接続要求の中で指定された前記上りリンクのインターフェースである場合、前記加入者構内設備は、前記指定された上りリンクのインターフェースを前記第２の上りリンクのインターフェースとして選択する、
自動設定サーバ。
【請求項１４】
前記接続要求開始モジュールは、さらに、前記ＵＲＬリストの中の各ＵＲＬに対応する上りリンクのインターフェースの情報、および／または各上りリンクのインターフェースの試験状況により、前記接続要求を前記加入者構内設備に送信するために前記ＵＲＬリストから前記第１のＵＲＬを選択するように構成される、
請求項１３に記載の自動設定サーバ。
【請求項１５】
前記接続要求開始モジュールは、さらに、前記接続要求の中で、前記加入者構内設備が管理セッションを開始するために使用するように構成される、前記第２の上りリンクのインターフェースを指定する、
請求項１３又は１４に記載の自動設定サーバ。
【発明の詳細な説明】
【技術分野】
【０００１】
本発明は、通信技術の分野、特に、管理セッション設定方法、加入者構内設備、および自動設定サーバに関する。
【背景技術】
【０００２】
既存のブロードバンド・ネットワーク・システムに対して、ＢＢＦ（Ｂｒｏａｄｂａｎｄ  Ｆｏｒｕｍ、ブロードバンドフォーラム）は、管理サーバが、ＣＰＥ（Ｃｕｓｔｏｍｅｒ  Ｐｒｅｍｉｓｅｓ  Ｅｑｕｉｐｍｅｎｔ、加入者構内設備）を遠隔管理するためのＴＲ−０６９プロトコルを規定している。ＴＲ−０６９プロトコルにおいて、ＣＰＥは、通知メッセージを積極的に送信することによりいつでもＡＣＳ（Ａｕｔｏ  Ｃｏｎｆｉｇｕｒａｔｉｏｎ  Ｓｅｒｖｅｒ、自動設定サーバ）とＣＷＭＰ（ＣＰＥ  ＷＡＮ  Ｍａｎａｇｅｍｅｎｔ  Ｐｒｏｔｏｃｏｌ、ＣＰＥワイド・エリア・ネットワーク管理プロトコル）管理セッションを設定することができる。自動設定サーバは、セッションを使用することにより加入者構内設備についての管理を実行する。しかし、自動設定サーバは、加入者構内設備との管理セッションを直接的に設定できない。自動設定サーバが加入者構内設備とのセッションを設定することを積極的に要求することを可能にするために、加入者構内設備は、接続要求ＵＲＬ（Ｕｎｉｖｅｒｓａｌ  Ｒｅｓｏｕｒｃｅ  Ｌｏｃａｔｏｒ、ユニバーサル・リソース・ロケータ）を提供し、各通知メッセージの中でＵＲＬを自動設定サーバに報告する。自動設定サーバが、加入者構内設備に対して管理セッションを開始させる必要がある場合、唯一の方式は、ＨＴＴＰ  ＧＥＴ要求をＣＰＥにより提供された接続要求ＵＲＬに送信することである。ＨＴＴＰ  ＧＥＴ要求は、事前に設定された認証情報を搬送することがある。自動設定サーバについての認証を完了した後、加入者構内設備は、ＨＴＴＰ  ２００  ＯＫメッセージによって自動設定サーバに応答する。その後、加入者構内設備は、通知メッセージを介して自動設定サーバとの管理セッションを設定し、自動設定サーバは、このセッションを使用することにより加入者構内設備についての管理を実施する。
【０００３】
本発明を実施する過程において、発明者は、従来技術が少なくとも以下の問題を有していることを見出した。技術の開発およびスモール・ビジネス・ゲートウェイの設置要望に伴って、複数の上りリンクのインターフェースがスモール・ビジネス・ゲートウェイにおいて利用可能とされている。例えば、非対称デジタル加入者線（Ａｓｙｍｍｅｔｒｉｃ  Ｄｉｇｉｔａｌ  Ｓｕｂｓｃｒｉｂｅｒ  Ｌｉｎｅ、略記ＡＤＳＬ）、ファイバアクセス、およびワイヤレスフィデリティ（ＷｉＦｉ）といった上りリンクのインターフェースが同時に利用可能とされている。しかし、従来技術では、加入者構内設備が１つの上りリンクのインターフェースのみを有する状況だけが考慮され、ここで、各加入者構内設備は、接続要求ＵＲＬを一つだけ有することができ、接続要求ＵＲＬを一つだけ自動設定サーバに報告することができ、故に、複数のアップリンク方式に対応する加入者構内設備と自動サーバとの間で管理セッションの設定を実行できない。
【発明の概要】
【発明が解決しようとする課題】
【０００４】
本発明の実施形態は、複数のアップリンク方式に対応する加入者構内設備と自動設定サーバとの間で管理セッションの設定を実行することが可能な、管理セッション設定方法、加入者構内設備、および自動設定サーバを提供する。
【課題を解決するための手段】
【０００５】
本発明の実施形態に取り入れた技術的解決手段は、以下のとおりである。
【０００６】
管理セッション設定方法は、
複数の上りリンクのインターフェースに対応する複数のＩＰアドレスに従って、ユニバーサル・リソース・ロケータ（ＵＲＬ）リストを生成するステップであって、ＵＲＬリストは少なくとも２つのＵＲＬを含み、かつ各ＵＲＬは対応する上りリンクのインターフェースを有する、ステップ；
上記ＵＲＬリストを自動設定サーバに送信するステップ；
第1の上りリンクのインターフェースを通して、自動設定サーバが送信する接続要求を受信するステップであって、接続要求は第1のＵＲＬを含み、第1のＵＲＬはＵＲＬリストの中のＵＲＬであり、かつ第1のＵＲＬは第1の上りリンクのインターフェースに対応する、ステップ；及び
管理セッションを開始するため使用される第２の上りリンクのインターフェースを決定し、管理セッションを開始するために、前記自動設定サーバに対して上記第２のアップリンクインターフェースを使用するステップ
を備える。
【０００７】
管理セッション設定方法は、
加入者構内設備が送信するユニバーサル・リソース・ロケータ（ＵＲＬ）リストを受信するステップ；
加入者構内設備に接続要求を送信するために、ＵＲＬリストから第１のＵＲＬを選択するステップであって、接続要求は第1の第１のＵＲＬを含み、かつ第１のＵＲＬは、加入者構内設備の第1の上りリンクのインターフェースに対応する、ステップ；及び
上記第２の上りリンクのインターフェースを使用することにより上記加入者構内設備によって開始される管理セッションを設定するステップ
を備える。
【０００８】
加入者構内設備は、
複数の上りリンクのインターフェースに対応する複数のＩＰアドレスに従って、ユニバーサル・リソース・ロケータ（ＵＲＬ）リストを生成する生成モジュールであって、ＵＲＬリストは少なくとも２つのＵＲＬを含み、かつ各ＵＲＬは対応する上りリンクのインターフェースを有する、生成モジュール；
上記ＵＲＬリストを自動設定サーバに送信するＵＲＬリスト報告モジュール；
第1の上りリンクのインターフェースを通して、自動設定サーバの送信する接続要求を受信する接続要求受信モジュールであって、接続要求は第１のＵＲＬを含み、第1のＵＲＬはＵＲＬリストの中のＵＲＬであり、かつ第１のＵＲＬは第1の上りリンクのＵＲＬに対応する、接続要求受信モジュール；及び
管理セッションを開始するために、自動設定サーバに対して第２の上りリンクのインターフェースを使用するセッション開始モジュール
を備える。
【０００９】
自動設定サーバは、
加入者構内設備によって送信されるユニバーサル・リソース・ロケータ（ＵＲＬ）リストを受信するユニバーサル・リソース・ロケータ（ＵＲＬ）リスト受信モジュール；
加入者構内設備に接続要求を送信するために、ＵＲＬリストから第１のＵＲＬを選択する接続要求開始モジュールであって、接続要求は第１のＵＲＬを含み、かつ第１のＵＲＬは加入者構内設備の第1の上りリンクのインターフェースに対応する、接続要求開始モジュール；及び
第２の上りリンクのインターフェースを使用することにより上記加入者構内設備が開始する管理セッションを設定するセッション設定モジュール
を備える。
【００１０】
本発明の実施形態は、管理セッション確立方法、加入者構内設備及び自動設定サーバを提供する。ここで、加入者構内設備ＣＰＥは、各上りリンクのインターフェースに対応するＩＰアドレスに従ってユニバーサル・リソース・ロケータ（ＵＲＬ）リストを生成し、その後、上記ＵＲＬリストを自動設定サーバＡＣＳに報告する。上記ＡＣＳは、上記ＣＰＥへの接続要求を開始するために、上記ＵＲＬリストから第１のＵＲＬを選択する。そして、上記ＣＰＥは、上記ＡＣＳからの上記接続要求についての認証を完了した後、上記接続要求の中の上記ＵＲＬに従って、管理セッションを開始するため使用される第２の上りリンクのインターフェースを決定し、管理セッションを開始するために、上記ＡＣＳに対して上記第２の上りリンクのインターフェースを使用する。従来技術と比較して、本発明の実施形態により提供される管理セッション設定方法、加入者構内設備、および自動設定サーバは、複数のアップリンク方式に対応する加入者構内設備と自動設定サーバとの間における管理セッションの設定の実行を可能とする。
【００１１】
本発明の実施形態における技術的解決手段についてより明瞭に説明するために、以下で実施形態または従来技術について説明するため必要な添付図面を簡単に紹介する。明らかに、以下の説明における添付図面は、本発明のいくつかの実施形態だけを示すものであり、当業者は、創造的な努力がなくてもこれらの添付図面から他の図面を得ることができる。
【図面の簡単な説明】
【００１２】
【図１】本発明の実施形態１による方法のフローチャートである。
【図２】本発明の実施形態２による方法のフローチャートである。
【図３】本発明の実施形態３による方法のフローチャートである。
【図４】本発明の実施形態４による方法のフローチャートである。
【図５】本発明の実施形態５による加入者構内設備の構造概略図である。
【図６】本発明の実施形態５による加入者構内設備の構造概略図である。
【図７】本発明の実施形態６による自動設定サーバの構造概略図である。
【発明を実施するための形態】
【００１３】
以下、本発明の実施形態における添付図面を参照して本発明の実施形態における技術的解決手段について明瞭に説明する。明らかに、説明された実施形態は、本発明の実施形態の全部ではなく単なる一部である。創造的な努力なしで本発明の実施形態に基づいて当業者によって得られる全ての他の実施形態は、本発明の保護範囲に包含されなければならない。
【００１４】
本発明の技術的解決手段の利点をより分かりやすくするために、以下、添付図面および実施形態を参照して本発明について詳細に説明する。
【実施例１】
【００１５】
本実施形態は、管理セッションを設定する方法を提供する。図１に示されるように、この方法は、以下を含む。
【００１６】
ステップ１０１：加入者構内設備ＣＰＥは、複数の上りリンクのインターフェースに対応する複数のＩＰアドレスに従って、ユニバーサル・リソース・ロケータ（ＵＲＬ）リストを生成する。ここで、ＵＲＬリストは、少なくとも２つのＵＲＬ（ユニバーサル・リソース・ロケータ）を含み、各ＵＲＬは対応する上りリンクのインターフェースを有している。
【００１７】
具体的には、ＵＲＬは、（ｈｔｔｐのような）プロトコルタイプ、（ホストのＩＰアドレスのような）ホスト名、ポート番号、およびパスで構成されてもよい。
【００１８】
ステップ１０２：加入者構内設備は、ＵＲＬリストを自動設定サーバに送信する。
【００１９】
具体的には、ＵＲＬリストを自動設定サーバに送信することは：
ＵＲＬリストの中の各ＵＲＬに対応する上りリンクのインターフェースの情報を自動設定サーバに送信することをさらに含んでもよい。
【００２０】
場合によっては、ＵＲＬリストを自動設定サーバに送信することは、具体的には：
ＵＲＬリストの中の１つ以上のＵＲＬを自動設定サーバに送信することを含む。
【００２１】
ステップ１０３：加入者構内設備は、自動設定サーバの送信した接続要求を第１の上りリンクのインターフェースを介して受信する。ここで、接続要求は、第１のＵＲＬを含み、第１のＵＲＬは、ＵＲＬリストの中のＵＲＬであり、そして、第１のＵＲＬは、第１の上りリンクのインターフェースに対応する。
【００２２】
ステップ１０４：加入者構内設備は、管理セッションを開始するため使用される上りリンクのインターフェースである、第２の上りリンクのインターフェースを決定する。そして、加入者構内設備は、管理セッションを開始するために、自動設定サーバに対して、第２の上りリンクのインターフェースを使用する。
【００２３】
具体的には、自動設定サーバによって送信された接続要求を受信し、管理セッションを開始するため使用される第２の上りリンクのインターフェースを決定することは：
自動設定サーバについての認証を完了した後、接続要求の中の指定および／または各上りリンクのインターフェースの状態に応じて、管理セッションを開始するため使用される第２の上りリンクのインターフェースを決定することを含んでもよい。例えば、管理セッションを開始するため使用される上りリンクのインターフェースが接続要求の中で指定された場合、指定された上りリンクのインターフェースが第２の上りリンクのインターフェースとして使用される。代替的に、各上りリンクのインターフェースの状態、例えば、上りリンクのインターフェースが接続可能であるか否か、遅延、およびパケット損失率のような情報に応じて、上りリンクのインターフェースが第２の上りリンクのインターフェースとして選択され：例えば、接続可能であり、かつ、最短遅延および最小パケット損失率を有している上りリンクのインターフェースが第２の上りリンクのインターフェースとして選択される。管理セッションを開始するため使用される上りリンクのインターフェースが接続要求の中で指定される状況では、第２の上りリンクのインターフェースを、各上りリンクのインターフェースの状態を参照して決定してもよい：例えば、接続可能であり、かつ、最短遅延および最小パケット損失率を有している上りリンクのインターフェースが第２の上りリンクのインターフェースとして選択されるが、最短遅延および最小パケット損失率を有している少なくとも２つの接続可能な上りリンクのインターフェースが存在し、これらのうちの一方が指定された上りリンクのインターフェースである場合、指定された上りリンクのインターフェースが第２の上りリンクのインターフェースとして選択される。
【００２４】
第１の上りリンクのインターフェースおよび第２の上りリンクのインターフェースは、必ずしも同じ上りリンクのインターフェースではないことに注意すべきである。
【００２５】
場合によっては、この方法は、
上りリンクのインターフェースの状態が変化したとき、ＵＲＬリストを更新することと、
更新されたＵＲＬリストを自動設定サーバに送信することと
をさらに含む。
【００２６】
本発明の実施形態は、管理セッションを設定する方法を提供する。ここで、加入者構内設備ＣＰＥは、各上りリンクのインターフェースに対応するＩＰアドレスに従って、ユニバーサル・リソース・ロケータ（ＵＲＬ）リストを生成し、その後、上記ＵＲＬリストを自動設定サーバＡＣＳに報告する。上記ＡＣＳは、上記ＣＰＥへの接続要求を開始するために、上記ＵＲＬリストから第１のＵＲＬを選択する。上記ＣＰＥは、上記ＡＣＳからの上記接続要求についての認証を完了した後、管理セッションを開始するために使用される第２の上りリンクのインターフェースを決定し、管理セッションを開始するために、上記ＡＣＳに対して、上記第２の上りリンクのインターフェースを使用し、上記ＡＣＳとの管理セッションを設定する。従来技術と比較して、本発明の実施形態により提供される管理セッションを設定する方法、加入者構内設備、および自動設定サーバは、複数のアップリンク方式に対応する加入者構内設備と自動設定サーバとの間における管理セッションの設定を実行することを可能とする。
【実施例２】
【００２７】
本実施形態は、管理セッションを設定する方法を提供する。図２に示されるように、この方法は、以下を含む。
【００２８】
ステップ２０１：自動設定サーバは、加入者構内設備によって送信されたユニバーサル・リソース・ロケータ（ＵＲＬ）リストを受信する。
【００２９】
ステップ２０２：自動設定サーバは、接続要求を加入者構内設備に送信するためにＵＲＬリストから第１のＵＲＬを選択する。ここで、接続要求は、第１のＵＲＬを含み、第１のＵＲＬは、加入者構内設備の第１の上りリンクのインターフェースに対応する。
【００３０】
具体的には、接続要求を加入者構内設備に送信するためにＵＲＬリストから第１のＵＲＬを選択することは：
ＵＲＬリストの中の各ＵＲＬに対応する上りリンクのインターフェースの情報および／または各上りリンクのインターフェースの試験状況に従って、接続要求を加入者構内設備に送信するためにＵＲＬリストから第１のＵＲＬを選択することを含んでもよい。
【００３１】
例えば、自動設定サーバは、ＵＲＬリストの中の各ＵＲＬに含まれるＩＰアドレスを取得し、その後、各ＩＰアドレスと自動設定サーバとの間の接続性を試験するためにＰｉｎｇプロトコルを使用し、対応する接続状態：接続可能であるか否か、遅延、およびパケット損失率のような情報を判定してもよい。この情報に基づいて、自動設定サーバは、接続要求を加入者構内設備に送信するためにＵＲＬを選択してもよい。
【００３２】
管理セッションを開始するために加入者構内設備が使用する、第２の上りリンクのインターフェースは、接続要求の中で指定されてもよい。
【００３３】
ステップ２０３：第２の上りリンクのインターフェースを使用することにより加入者構内設備によって開始される管理セッションを設定する。
【００３４】
第１の上りリンクのインターフェースおよび第２の上りリンクのインターフェースは、必ずしも同じ上りリンクのインターフェースではないことに注意すべきである。
【００３５】
本発明の実施形態により提供される管理セッションを設定する方法において、自動設定サーバＡＣＳは、加入者構内設備ＣＰＥによって報告されたＵＲＬリストを受信し、上記ＣＰＥへの接続要求を開始するために、上記ＵＲＬリストから上記第１のＵＲＬを選択する。ここで、接続要求は、上記第1のＵＲＬを含む。上記ＡＣＳは、第２の上りリンクのインターフェースを使用することにより、上記ＣＰＥによって開始される管理セッションを設定し、上記ＣＰＥとの管理セッションを設定する。従来技術と比較して、本発明の実施形態により提供される管理セッションを設定する方法は、複数のアップリンク方式に対応するＣＰＥとＡＣＳとの間における管理セッションの設定を実行することを可能とする。
【実施例３】
【００３６】
本実施形態は、管理セッションを設定する方法を提供する。図３に示されるように、この方法は、以下を含む。
【００３７】
ステップ：３０１：ＣＰＥは、ＡＣＳとアップリンク接続を設定し、複数の上りリンクのインターフェースに対応する複数のＩＰアドレスを取得し、対応するＵＲＬリストを生成する。
【００３８】
場合によっては、上りリンクのインターフェースの状態が変化する場合、ＣＰＥは、ＵＲＬリストを更新する。
【００３９】
ステップ３０２：ＣＰＥは、通知メッセージによって、生成されたＵＲＬリストをＡＣＳに報告する。
【００４０】
具体的には、ＣＰＥが、通知メッセージによって、生成したＵＲＬリストをＡＣＳに報告することは：
ＵＲＬリストの中の各ＵＲＬに対応する上りリンクのインターフェースの情報をＡＣＳに報告することと、
ＵＲＬリストから選択された好ましいＵＲＬをＡＣＳに報告することと、
上りリンクのインターフェースが変化した後に更新されたＵＲＬリストをＡＣＳに報告することと
を含んでもよい。
【００４１】
ステップ３０３：ＣＰＥは、ＡＣＳとの管理セッションを切断する。
【００４２】
ステップ３０４：ＣＰＥがＡＣＳとの管理セッションを設定することをＡＣＳが要求するとき、ＡＣＳは、ＵＲＬリストに含まれる複数のＩＰアドレスを取得するために、ＣＰＥによって報告されたＵＲＬリストを解釈し、各ＩＰアドレスとＡＣＳとの間の接続性を試験するためにＰｉｎｇ（Ｐａｃｋｅｔ  Ｉｎｔｅｒｎｅｔ  Ｇｒｏｐｅｒ、パケット・インターネット・グローパー）プロトコルを使用する。
【００４３】
具体的には、試験内容は：接続可能であるか否か、遅延、パケット損失率などを含んでもよい。
【００４４】
ステップ３０５：ＡＣＳは、ＣＰＥによって報告されたＵＲＬ情報およびステップ３０４において取得された情報に従って、使用する第１のＵＲＬを決定する。
【００４５】
具体的には、ＡＣＳとの良好な接続性を有し、かつ、短い遅延および小さいパケット損失率を有しているＵＲＬが第１のＵＲＬとして選択されるてもよい。
【００４６】
ステップ３０６：ＡＣＳは、ＨＴＴＰ−ＧＥＴメッセージをステップ３０５で決定したＵＲＬに送信する。
【００４７】
さらに、ＡＣＳは、ＨＴＴＰ−ＧＥＴメッセージのヘッダフィールドにおいて、ＣＰＥが管理セッションを開始するために使用する第２の上りリンクのインターフェースを指定してもよい。
【００４８】
ステップ３０７：ＡＣＳについての認証を完了した後、ＣＰＥは、ＨＴＴＰ  ２００  ＯＫメッセージをＡＣＳに返送する。
【００４９】
ステップ３０８：ＡＣＳは、ＣＰＥとの接続を切断する。
【００５０】
一般に、ＴＲ−０６９プロトコルによれば、このステップが実行する必要がある。
【００５１】
ステップ３０９：ＣＰＥは、各ＩＰアドレスとＡＣＳとの間の接続性を試験するためにＰｉｎｇプロトコルを使用する。
【００５２】
具体的には、試験内容は、接続可能であるか否か、遅延、パケット損失率などを含んでもよい。
【００５３】
ステップ３１０：ＣＰＥは、ステップ３０６に従って、第２の上りリンクのインターフェースを決定する。
【００５４】
具体的には、ＡＣＳとの良好な接続性を有し、短い遅延および小さいパケット損失率を有している上りリンクのインターフェースを、第２の上りリンクのインターフェースとして選択してもよい。例えば、管理セッションを開始するため使用される上りリンクのインターフェースが接続要求の中で指定されたとき、指定された上りリンクのインターフェースが第２の上りリンクのインターフェースとして使用される。代替的に、各上りリンクのインターフェースの状態、例えば、接続可能であるか否か、遅延、およびパケット損失率のような情報に従って、上りリンクのインターフェースが第２の上りリンクのインターフェースとして選択される。例えば、接続可能であり、かつ、最短遅延および最小パケット損失率を有している上りリンクのインターフェースが第２の上りリンクのインターフェースとして選択される。管理セッションを開始するため使用される上りリンクのインターフェースが接続要求の中で指定される場合において、第２の上りリンクのインターフェースは、各上りリンクのインターフェースの状態を参照して決定してもよい。例えば、接続可能であり、かつ、最短遅延および最小パケット損失率を有している上りリンクのインターフェースが第２の上りリンクのインターフェースとして選択されるが、最短遅延および最小パケット損失率を有している少なくとも２つの接続可能な上りリンクのインターフェースが存在し、これらのうちの一方が指定された上りリンクのインターフェースである場合、指定された上りリンクのインターフェースが第２の上りリンクのインターフェースとして選択される。
【００５５】
第１の上りリンクのインターフェースおよび第２の上りリンクのインターフェースは、必ずしも同じ上りリンクのインターフェースではないことに注意すべきである。
【００５６】
ステップ３１１：ＣＰＥは、ステップ３１０において決定した第２の上りリンクのインターフェースにより、ＡＣＳとの管理セッションを設定する。
【００５７】
本発明の実施形態により提供される管理セッションを設定する方法において、加入者構内設備ＣＰＥは、各上りリンクのインターフェースに対応するＩＰアドレスに従って、ユニバーサル・リソース・ロケータ（ＵＲＬ）リストを生成する。ここで、ＵＲＬリストの中の各ＵＲＬは、ＩＰアドレスに対応している。その後、加入者構内設備ＣＰＥは、上記ＵＲＬリストを自動設定サーバＡＣＳに報告する。接続要求を開始するために、上記ＡＣＳは、上記ＵＲＬリストから第１のＵＲＬを選択する。そして、上記ＣＰＥは、上記ＡＣＳによって開始された接続要求を受信する。ここで、接続要求は、上記ＡＣＳが、上記ＵＲＬリストから選択した上記ＵＲＬを含む。上記ＡＣＳについての認証を完了した後、上記ＣＰＥは、上記接続要求の中の上記ＵＲＬリストから上記ＡＣＳが選択した上記ＵＲＬに従って、管理セッションを開始するため使用される第２の上りリンクのインターフェースを決定し、管理セッションを開始するために、上記ＡＣＳに対して、上記第２の上りリンクのインターフェースを使用し、上記ＡＣＳとの管理セッションを設定する。従来技術と比較して、本発明の実施形態により提供される管理セッションを設定する方法は、複数のアップリンク方式に対応する加入者構内設備と自動設定サーバとの間における管理セッションの設定の実行を可能とする。
【実施例４】
【００５８】
本実施形態は、管理セッションを設定する方法を提供する。図４に示されるように、この方法は、以下を含む。
【００５９】
ステップ４０１：ＣＰＥは、ＡＣＳとのアップリンク接続を設定し、複数の上りリンクのインターフェースに対する複数のＩＰアドレスを取得する。
【００６０】
場合によっては、ＣＰＥの上りリンクのインターフェースの状態が変化した場合に、ＣＰＥは、上記複数のＩＰアドレスを更新してもよい。
【００６１】
ステップ４０２：ＣＰＥは、ステップ４０１で取得した複数のＩＰアドレスを、同じドメイン名に対して登録する。
【００６２】
ステップ４０３：ＣＰＥは、ドメイン名に応じたＵＲＬリストを生成する。
【００６３】
ステップ４０４：ＣＰＥは、通知メッセージにより、ステップ４０３で生成したＵＲＬリストをＡＣＳに報告する。
【００６４】
具体的には、ステップ４０３で生成したＵＲＬリストをＡＣＳに報告することは：
ＵＲＬリストの中の各ＵＲＬに対応する上りリンクのインターフェースの情報をＡＣＳに報告することと、
ＵＲＬリストから選択した好ましいＵＲＬをＡＣＳに報告することと
を含んでもよい。
【００６５】
ステップ４０５：ＣＰＥは、ＡＣＳとの管理セッションを切断する。
【００６６】
ステップ４０６：ＣＰＥがＡＣＳとの管理セッションを設定することをＡＣＳが必要とする場合、ＡＣＳは、ドメイン名を取得するために、ＣＰＥの報告したＵＲＬリストを解釈する。
【００６７】
ＵＲＬリストの中の複数のＵＲＬは、１つのドメイン名を共有し、異なったポート番号を有してもよい。
【００６８】
ステップ４０７：ＡＣＳは、ステップ４０６で取得したドメイン名に対応する複数のＩＰアドレスをＤＤＮＳサーバに照会する。
【００６９】
ステップ４０８：ＤＤＮＳサーバは、ドメイン名に対応する複数のＩＰアドレスをＡＣＳに返送する。
【００７０】
ステップ４０９：ＡＣＳは、ステップ４０８において取得された各ＩＰアドレスとＡＣＳとの間の接続性を試験するためにＰｉｎｇプロトコルを使用する。
【００７１】
具体的には、試験内容は：接続可能であるか否か、遅延、パケット損失率などを含んでもよい。
【００７２】
ステップ４１０：ＡＣＳは、ステップ４０９で取得した情報により、第１のＵＲＬを決定する。
【００７３】
具体的には、ＡＣＳとの良好な接続性を有し、かつ、短い遅延および小さいパケット損失率を有しているＵＲＬが、第１のＵＲＬとして選択されてもよい。
【００７４】
ステップ４１１：ＡＣＳは、ＨＴＴＰ−ＧＥＴメッセージを第１のＵＲＬに送信する。
【００７５】
ステップ４１２：ＡＣＳについての認証を完了した後、ＣＰＥは、ＨＴＴＰ  ２００  ＯＫメッセージをＡＣＳに返送する。
【００７６】
さらに、ＡＣＳは、ＣＰＥが管理セッションを開始するために使用する上りリンクのインターフェースを、ＨＴＴＰ−ＧＥＴメッセージのヘッダフィールドにおいて指定してもよい。
【００７７】
ステップ４１３：ＡＣＳは、ＣＰＥから接続を切断する。
【００７８】
一般に、ＴＲ−０６９プロトコルによれば、このステップを実行する必要がある。
【００７９】
ステップ４１４：ＣＰＥは、各上りリンクのインターフェースに対応するＩＰアドレスとＡＣＳとの間の接続性を試験するためにＰｉｎｇプロトコルを使用する。
【００８０】
具体的には、試験内容は：接続可能であるか否か、遅延、パケット損失率などを含むことがある。
【００８１】
ステップ４１５：ＣＰＥは、ステップ４１１および４１４により、第２の上りリンクのインターフェースを決定する。
【００８２】
具体的には、ＡＣＳとの良好な接続性を有し、かつ、短い遅延および小さいパケット損失率を有している上りリンクのインターフェースを選択してもよい。例えば、管理セッションを開始するため使用する上りリンクのインターフェースが接続要求の中で指定されている場合、指定された上りリンクのインターフェースが、第２の上りリンクのインターフェースとして使用される。代替的に、各上りリンクのインターフェースの状態、例えば、接続可能であるか否か、遅延、およびパケット損失率のような情報により、上りリンクのインターフェースが第２の上りリンクのインターフェースとして選択される。例えば、接続可能であり、かつ、最短遅延および最小パケット損失率を有している上りリンクのインターフェースが、第２の上りリンクのインターフェースとして選択される。管理セッションを開始するため使用する上りリンクのインターフェースが接続要求の中で指定される場合、第２の上りリンクのインターフェースを、各上りリンクのインターフェースの状態を参照することによって決定してもよい。例えば、接続可能であり、かつ、最短遅延および最小パケット損失率を有している上りリンクのインターフェースは、第２の上りリンクのインターフェースとして選択されるが、最短遅延および最小パケット損失率を有している少なくとも２つの接続可能な上りリンクのインターフェースが存在し、これらのうちの一方が指定された上りリンクのインターフェースである場合、指定された上りリンクのインターフェースが第２の上りリンクのインターフェースとして選択される。
【００８３】
第１の上りリンクのインターフェースおよび第２の上りリンクのインターフェースは、必ずしも同じ上りリンクのインターフェースではないことに注意すべきである。
【００８４】
ステップ４１６：ＣＰＥは、ステップ４１５で決定した第２の上りリンクのインターフェースにより、ＡＣＳとの管理セッションを設定する。
【００８５】
本発明の実施形態により提供される管理セッションを設定する方法において、加入者宅内機器ＣＰＥは、各上りリンクのインターフェースの対応するＩＰアドレスを、同じドメイン名に対して登録し、ユニバーサル・リソース・ロケータ（ＵＲＬ）リストを生成する。ここで、ＵＲＬリストの中の各ＵＲＬは、１つのＩＰアドレスに対応する。その後、上記ＣＰＥは、上記ＵＲＬリストを自動設定サーバＡＣＳに報告する。上記ＡＣＳは、接続要求を開始するために、上記ＵＲＬリストから第１のＵＲＬを選択する。そして、上記ＣＰＥは、上記ＡＣＳの開始した、接続要求を受信する。ここで、上記接続要求は、管理セッションを開始するために上記ＣＰＥにより使用されることがあるＩＰアドレスを含む。上記ＣＰＥは、上記ＡＣＳに対する認証を完了した後、上記管理セッションを開始するために使用する上りリンクのインターフェースを決定し、上記管理セッションを開始するために、上記ＡＣＳに対して、上記上りリンクのインターフェースを使用し、上記ＡＣＳとの上記管理セッションを設定する。従来技術と比較して、本発明の実施形態により提供される管理セッションを設定する方法は、複数のアップリンク方式に対応する加入者構内設備と自動設定サーバとの間における管理セッションの設定を実行可能とする。
【実施例５】
【００８６】
本実施形態は、加入者構内設備を提供する。図５に示されるように、加入者構内設備は、
複数の上りリンクのインターフェースに対応する複数のＩＰアドレスにより、ユニバーサル・リソース・ロケータ（ＵＲＬ）リストを生成する生成モジュール５１であって、ＵＲＬリストは、少なくとも２つのＵＲＬを含み、かつ各ＵＲＬは、対応する上りリンクのインターフェースを有する、生成モジュール５１と、
上記ＵＲＬリストを自動設定サーバに送信するＵＲＬリスト報告モジュール５２と、
第1の上りリンクのインターフェースを通して、上記自動設定サーバによって送信される接続要求を受信する接続要求受信モジュール５３であって、上記接続要求は、第１のＵＲＬを含み、記第１のＵＲＬは上記ＵＲＬリストの中のＵＲＬであり、かつ上記第１のＵＲＬは第１の上りリンクのインターフェースに対応する、接続要求受信モジュール５３及び
管理セッションを開始するために、上記自動設定サーバに対して、第２の上りリンクのインターフェースを使用するセッション開始モジュール５４と
を備える。
【００８７】
具体的には、ＵＲＬリスト報告モジュール５２は、さらに、ＵＲＬリストの中の各ＵＲＬに対応する上りリンクのインターフェースの情報を自動設定サーバに送信してもよい。
【００８８】
さらに、ＵＲＬリスト報告モジュール５２は、ＵＲＬリストの中の１つ以上のＵＲＬを自動設定サーバに送信してもよい。
【００８９】
場合によっては、接続要求モジュール５３は、さらに、接続要求の中で指定され、管理セッションを開始するため使用される上りリンクのインターフェースによって、または各上りリンクのインターフェースの状態によって、第２の上りリンクのインターフェースを決定する。例えば、管理セッションを開始するため使用される上りリンクのインターフェースが接続要求の中で指定される場合、指定された上りリンクのインターフェースが第２のアップリンクとして使用される。代替的に、各上りリンクのインターフェースの状態、例えば、接続可能であるか否か、遅延、およびパケット損失率のような情報に応じて、上りリンクのインターフェースが第２の上りリンクのインターフェースとして選択される。接続可能であり、かつ、最短遅延および最小パケット損失率を有している上りリンクのインターフェースが第２の上りリンクのインターフェースとして選択される。管理セッションを開始するため使用される上りリンクのインターフェースが接続要求の中で指定される場合、第２の上りリンクのインターフェースは、各上りリンクのインターフェースの状態を参照することにより決定してもよい。例えば、接続可能であり、かつ、最短遅延および最小パケット損失率を有している上りリンクのインターフェースが第２の上りリンクのインターフェースとして選択されるが、最短遅延および最小パケット損失率を有している少なくとも２つの選択可能な上りリンクのインターフェースが存在し、これらのうちの一方が指定された上りリンクのインターフェースである場合、指定された上りリンクのインターフェースが第２の上りリンクのインターフェースとして選択される。
【００９０】
第１の上りリンクのインターフェースおよび第２の上りリンクのインターフェースは、必ずしも同じ上りリンクのインターフェースではないことに注意すべきである。
【００９１】
場合によっては、図６に示されるように、加入者構内設備は：
上りリンクのインターフェースの状態が変化した場合に、ＵＲＬリストを更新する更新モジュール５５をさらに備え、
ＵＲＬリスト報告モジュール５２は、さらに、更新したＵＲＬリストを自動設定サーバに送信する。
【００９２】
本発明の実施形態により提供される加入者構内設備において、生成モジュール５１は、各上りリンクのインターフェースに対応するＩＰアドレスより、ユニバーサル・リソース・ロケータ（ＵＲＬ）リストを生成する。ここで、ＵＲＬリストの中の各ＵＲＬは、ＩＰアドレスに対応する。その後、ＵＲＬリスト報告モジュール５２は、上記ＵＲＬリストを自動設定サーバＡＣＳに報告する。接続要求受信モジュール５３は、接続要求を開始するために上記ＵＲＬリストから第１のＵＲＬを選択する。セッション開始モジュール５４は、上記ＡＣＳによって開始される上記接続要求を受信する。ここで、上記接続要求は、上記ＵＲＬリストから上記ＡＣＳが選択した上記ＵＲＬを含む。上記接続要求受信モジュール５３が上記ＡＣＳを認証した後、上記接続要求の中の上記ＵＲＬリストから上記ＡＣＳが選択した上記ＵＲＬにより、上記セッション開始モジュール５４は、管理セッションを開始するため使用される第２の上りリンクのインターフェースを決定し、管理セッションを開始するために、上記ＡＣＳに対して、上記第２の上りリンクのインターフェースを使用し、上記ＡＣＳとの上記管理セッションを設定する。従来技術と比較して、本発明の実施形態により提供される加入者構内設備は、複数のアップリンク方式に対応する加入者構内設備と自動設定サーバとの間における管理セッションの設定を実施可能とする。
【実施例６】
【００９３】
本実施形態は、自動設定サーバを提供する。図７に示されるように、自動設定サーバは：
加入者構内設備によって送信されたユニバーサル・リソース・ロケータ（ＵＲＬ）リストを受信するユニバーサル・リソース・ロケータ（ＵＲＬ）リスト受信モジュール６１と、
接続要求を上記加入者構内設備に送信するために、上記ＵＲＬリストから第１のＵＲＬを選択する接続要求開始モジュール６２であって、上記接続要求は、上記第１のＵＲＬを含み、かつ上記第１のＵＲＬは上記加入者構内設備の第１の上りリンクのインターフェースに対応する、接続要求開始モジュール６２及び
第２の上りリンクのインターフェースを使用することにより上記加入者構内設備によって開始される管理セッションを設定するセッション設定モジュール６３と
を備える。
【００９４】
具体的には、接続要求開始モジュール６２はさらに：
ＵＲＬリストの中の各ＵＲＬに対応する上りリンクのインターフェースの情報、および／または各上りリンクのインターフェースの試験状況によって、接続要求を加入者構内設備に送信するためにＵＲＬリストから第１のＵＲＬを選択する。
【００９５】
さらに、接続要求開始モジュール６２は：
加入者構内設備が管理セッションを開始するために使用する第２の上りリンクのインターフェースを、接続要求内において指定する。
【００９６】
本発明の実施形態により提供される自動設定サーバにおいて、ユニバーサル・リソース・ロケータ（ＵＲＬ）リスト受信モジュール６１は、加入者構内設備によって報告されたユニバーサル・リソース・ロケータ（ＵＲＬ）リストを受信する。接続要求開始モジュール６２は、ＣＰＥへの接続要求を開始するために、ＵＲＬリストから第１のＵＲＬを選択する。ここで、接続要求は、第１のＵＲＬを含む。セッション受信モジュール６３は、第２の上りリンクのインターフェースを使用することによりＣＰＥによって開始された管理セッションを受信し、ＣＰＥとの管理セッションを設定する。従来技術と比較して、本発明の実施形態により提供される自動設定サーバは、複数のアップリンク方式に対応する加入者構内設備と自動設定サーバとの間における管理セッションの設定を実行可能とする。
【００９７】
本発明の実施形態により提供される加入者構内設備および自動設定サーバは、上記方法の実施形態を実行可能である。具体的な機能の実装ついて、方法の実施形態における説明を参照することが可能であり、さらなる説明はここでは行わない。本発明の実施形態により提供される管理セッションを設定する方法、加入者構内設備、および自動設定サーバは、加入者構内設備と自動設定サーバとの間における管理セッションの設定に適用可能であるが、これに限定されない。
【００９８】
当業者は、実施形態における方法の工程の全部または一部が関連するハードウェアに命令するコンピュータプログラムにより実行されてもよいことを理解するであろう。プログラムは、コンピュータ読み取り可能な記憶媒体に記憶されてもよい。プログラムが実行される場合、実施形態における方法の工程が実行される。記憶媒体は、磁気ディスク、光ディスク、読み取り専用メモリ（Ｒｅａｄ−Ｏｎｌｙ  Ｍｅｍｏｒｙ、ＲＯＭ）、またはランダム・アクセス・メモリ（Ｒａｎｄｏｍ  Ａｃｃｅｓｓ  Ｍｅｍｏｒｙ、ＲＡＭ）であってもよい。
【００９９】
上記説明は、本発明の単なる具体的な実施形態であり、本発明の保護範囲を限定することは意図されていない。本発明の技術範囲内で当業者によって容易に想到されるいかなる変形または置換も、本発明の保護範囲に包含されなければならない。従って、本発明の保護範囲は、特許請求項の保護範囲に従わなければならない。
【図１】
0005813873.tif 000002
【図２】
0005813873.tif 000003
【図３】
0005813873.tif 000004
【図４】
0005813873.tif 000005
【図５】
0005813873.tif 000006
【図６】
0005813873.tif 000007
【図７】
0005813873.tif 000008